Podtech/llm-jp-corpus-v4-ja_patent huggingface dataset:
(57)【要約】【課題】バネを収納するパイプのコンパクト化に伴いパイプの長さを小さくするとバネの長さも短くなりバネが締め部に届かないことを解決しなければならない。【解決手段】短い2パイプに3引きバネを挿入しそのバネの中に4ワイヤ−を挿通した金属飛翔体を押し込み13跳ね上げ具にセットして跳ね上げると5飛び出し停止ストッパ−が外れ1金属飛翔体を勢いよく発射してワナの9締め具に衝突して括りワナで一番大切な6輪部の縮径の初期締め付けを瞬時にする。締め具をバネで持続して締付けるようにはならないが1金属飛翔体が飛び出しす動きと音で驚いた獲物は脱兎の如く逃げ去ろうとして締め付けを確実にする。1金属飛翔体の発射時の反動を抑えないと発射力が弱るので反動を制する処置を7反動ストッパ−を8掛け金につないで反動を制する。このコンパクト化が携行運搬を容易にして完成度が高く仕掛けやすい括り罠になった。【選択図】図１
2014230505.tif 000002
【特許請求の範囲】
【請求項１】
ワイヤ−を挿通する金属飛翔体をバネで弾き慣性力で締め具に衝突させ括り輪部の初期締め付けが出来る括り罠
【請求項２】
ワイヤ−と金属飛翔体を内包するパイプと跳ね上げ具に金属飛翔体の発射とその反動を制する機構を有する１記載の括り罠
【発明の詳細な説明】
【技術分野】
【０００１】
本発明は先に出願した括りワナ（特願2013-102874）の仕掛け部のコンパクト化に伴い締め具まで届かないバネの代役として金属飛翔体を設けて初期締め付けが出来る括り罠に関するものである。
【背景技術】
【０００２】
括り輪部の直径が大きくなると締めるワイヤ−とバネが長くなり引きバネを収納するパイプや裸のコイルバネも1.5ｍと長く携行運搬が不便であると同時にワナを仕掛けた後覆土して露出をなくすにも支障を来たす。
【先行技術文献】
【特許文献】
【０００３】
【特許文献１】特願2005-116591特願2005-215277実願2011-5837
【発明の概要】
【発明が解決しようとする課題】
【０００４】
今までバネ収納パイプやコイルバネは1.5ｍほどあり山野に持ち運びする為出来るだけ軽量でコンパクトな形態が求められる。バネを収納するパイプの長さを短くするとワイヤ−の引き込み又はバネの押し出しが不足して縮径の最後まで締め付けができないという問題がある。
仕掛けを設置して獲物に発見されないように露出部分を無くすのにも小型軽量化が必要。
【課題を解決するための手段】
【０００５】
短いパイプの中に収納する短い引きバネでは輪部の縮径を最後まで締め付けを持続することはできない。そこで短いバネの中にワイヤ−を挿通する金属飛翔体を押し込みバネの反発で発射して締め具に衝突一瞬に輪部の初期締め付けを完了出来るようにした。バネの締め付けの持続はできないが金属飛翔体が弾道弾のようにワイヤ−に添って突然飛び出してその動きと音に驚いた獲物が脱兎の如く逃げ去ろうとすることで輪部を強く締め捕獲を確実にする。
【発明の効果】
【０００６】
金属飛翔体を装備することでバネとパイプを短く軽量にして持ち運びが簡単になると同時に金属飛翔体をパイプの中に押し込こむのも簡単になった。捕獲で一番大切な輪部の初期縮径を金属飛翔体の発射で瞬時完了し露出部分が獣に発見されないようにする覆土作業も楽になった。
【図面の簡単な説明】
【０００７】
【図１】2パイプに収納する3バネに1金属飛翔体を押し込み5飛び出し停止ストッパ−で飛び出しと7反動防止金具でそれぞれの運動を制した図であるが反動は杭を地面に打ち込むなど他の方法で制してもよい。
【図２】括り罠を13跳ね上げ具に乗せて設置し14仕掛け糸を張って罠の仕掛け作業が完了した図である。13跳ね上げ具は括りワナ特願2013-102874の図3と図4に示す符号16である。
【図３】５飛び出し停止ストッパ−を解除して1金属飛翔体を発射勢いよく9締め具に衝突11獣足に絡む6輪部の初期縮径が始動中の図である。
【発明を実施するための形態】
【０００８】
携帯に便利なように3バネと1金属飛翔体を2パイプに収納して形状を短くした括り罠。
【実施例】
【０００９】
本発明の１図は1金属飛翔体が3引きバネの反発で飛び出そうとしているところである。
【００１０】
図2は1金属飛翔体を発射して9閉め具に衝突して11獣脚が締付けられる初期の図である
【００１１】
図3は1金属飛翔体を2パイプに収納した3引きバネに押し込み13跳ね上げ具にセットして14仕掛け糸を張り括り罠の仕掛け作業が完了した図である。
【産業上の利用可能性】
【００１２】
コンパクトになり携行運搬がし易く金属飛翔体の押し込みも形状が短いため簡単になった。括り輪部の締め付けも確実になり括り罠としての完成度を高め社会的ニ−ズにも応えられる。製造し易いので価格を安価に設定して業界が注目する商品に成長すると考える。
【符号の説明】
【００１３】
1    金属飛翔体
2    パイプ
3    引きバネ
4    ワイヤー
5    飛び出し停止ストッパー
6    輪部
7    反動防止金具
8    掛け金
9    締め具
10  ワイヤ−止
11  獣脚
12  跳ね上げキー
13  跳ね上げ具
14  仕掛け糸
【図１】
2014230505.tif 000003
【図２】
2014230505.tif 000004
【図３】
2014230505.tif 000005
(57)【要約】【課題】通常の湯量の浴槽内で半身浴を行う場合は、専用の椅子を使用する方法が一般的であったが、この半身浴専用の椅子は、水あかや石鹸かす等の汚れが付着するために不衛生なので、浴室の床に置く風呂用の椅子として使用する事は出来ず、浴室内での置き場所に困るという不都合が生じていた。そこで、半身浴用椅子として使用可能な洗面器を提供する。【解決手段】洗面器の底面部に人の臀部に合わせて窪みを設けて座り心地を良くし、上部円周部の２ヶ所の切り込みにより、浴槽底面に密着する事がなく、半身浴用椅子としての使用が可能である。また、半身浴用椅子として使用しない場合は通常通りに洗面器の使用が可能である。【選択図】図１
2014230578.tif 000002
【特許請求の範囲】
【請求項１】
底面部に人の臀部に合わせて窪みを設け、上部円周部に浴槽内湯の流動性を保つための切り込みを２ヶ所設けた、半身浴用椅子として使用可能な洗面器。
【発明の詳細な説明】
【技術分野】
【０００１】
本発明は、浴槽内の半身浴用椅子として使用可能な洗面器に関するものである。
【背景技術】
【０００２】
従来は、通常湯量の浴槽で半身浴を行う場合は、専用の椅子を使用する方法が一般的であった。
【先行技術文献】
【特許文献】
【０００３】
【特許文献１】特開２００８−２１２５３０
【特許文献２】特開２００２−３００９８０
【特許文献３】特開２００１−０９５７０７
【特許文献４】実登３０８５１３４
【発明の概要】
【発明が解決しようとする課題】
【０００４】
しかしながら半身浴専用の椅子は、汚れが付着してしまうために、浴室床に置く風呂用の椅子として使用する事は出来ず、浴室内の置き場所に困るという不都合が生じていた。
【０００５】
本発明は、半身浴用の椅子に使用しない場合は通常の洗面器として使用出来る、半身浴用椅子兼洗面器の提供を目的とする。
【課題を解決するための手段】
【０００６】
以上の課題を解決するために、第一発明は、臀部が接触する底面部に十分な窪みを設けた事を特徴とする洗面器である。
【０００７】
第二発明は、半身浴用椅子の使用時に、圧力で浴槽底面部と密着しない様に湯の流動性を保つため、上部円周部に２ヶ所の切り込みを設けた事を特徴とする洗面器である。
【発明の効果】
【０００８】
第一発明により座り心地が良くなり、半身浴用の椅子として使用可能である。
【０００９】
第二発明により半身浴終了後、容易に手で持ち上げて浴槽からの取出しが可能であり、半身浴用椅子の機能を果たしている。
【図面の簡単な説明】
【００１０】
【図１】本発明本体を示す斜視図である。
【図２】本発明本体を示す正面図である。
【図３】本発明本体を示す側面図である。
【図４】本発明の一実施形態を示す斜視図である。
【図５】本発明の一実施形態を示す側面図である。
【発明を実施するための形態】
【００１１】
本発明を実施するための形態を、図１及び図２、図３に示す。
【００１２】
プラスチック製の楕円形洗面器は高さが約１２ｃｍで一般的な洗面器より数値が大きく、半身浴用椅子に適した高さである。
【００１３】
底面部は椅子の機能として、人の臀部に合うように窪みが設けてある。この窪みにより座り心地が良くなり、長時間の半身浴が可能である。
【００１４】
本体の上部円周部に、向かい合った２ヶ所の切り込みを設けている。この切り込みにより、湯の流動性が保たれ、本体が圧力により浴槽底面部に密着するのを防いでいる。
【実施例】
【００１５】
図４は本体に水を入れた状態であり、洗面器として用いた実施例である。
【００１６】
図５は半身浴用椅子として用いた実施例である。
【符号の説明】
【００１７】
１  本発明本体
２  窪み
３  切り込み
４  水
５  浴槽
６  入浴用の湯
７  入浴中の人
【図１】
2014230578.tif 000003
【図２】
2014230578.tif 000004
【図３】
2014230578.tif 000005
【図４】
2014230578.tif 000006
【図５】
2014230578.tif 000007
(57)【要約】      （修正有）【課題】介護士の体力的負担を抑え、患者の乗り降りと、トイレやその他の院内搬送が容易にできる移動車を提供する。【解決手段】ベッド本体１１上のシート１２の両脇１３には穴２５が開いている。シート１２に患者が乗った状態で、穴２５に移動車の差し込み平板１７を差し込むことにより、シート１２と移動車本体を連結して患者を移動する。患者を降ろすには所定の位置上にシート１２をおいた状態で穴２５から差し込み平板１７を引き抜きシート１２と移動車本体の連結を解除する。【選択図】図１
2014230733.tif 000002
【特許請求の範囲】
【請求項１】
シート移動車は、フレームをコの字型に作り下部フレームには車輪を付けベッド中央に横より差し込む。ベッド上部には、あらかじめ人体を乗せるシート、パレットを置き、そのシートに人体が乗るリフト式移動シートの両脇差し込み板でシート両脇に差し込む。手動式ジャッキで上下の調節を行い、人体を乗せたままベッドより引き抜き移動する力の少ない女性でも重量のある人体を軽々とトイレ又院内移動する事が出来る、移動車とシートは別々であり、トイレ用と院内移動用とシートは別々に制作する。又安全手摺りは、人体がシートに乗り両脇にリフト用板が差し込みが終わった時点で手摺りを付ける。そのことによりシートを引き抜く時、滑り止めともなる。シート移動車は、ベッドの上にシートを置き人体はそのシートに乗り座る、移動車はシートを上げベットより引き抜きトイレ院内を移動する、力の少ない女性でも重量のある人体を軽々乗せ、移動する事が出来る事を特徴としたシート移動車。
【発明の詳細な説明】
【発明の詳細なる説明】
【技術分野】
【０００１】  本発明は、コの字型フレーム移動車であり、上部のシートと移動車は別々な物である。トイレ用、院内移動用と別々にシートがあり、使い分け使用する。
【背景技術】
【０００２】  現在の車いすは仕様に問題はなく提案されている。
【発明が解決しようとする課題】
【０００３】  現在の移動用車いすは、別に不自由はないが人体をトイレ又院内を移動する際、乗り降りに人の手助けがいる場合、人は重量もあり力のない方には困難であり、この様な課題はいまだ改良の余地を残している。
【０００４】  現在日本の社会は、老人が多くどこの病院またその他の施設についても老人ばかりであり又、介護士が少なく外国から手助けに来ている様な話である。老人はわがままで困る、トイレ使用又院内移動車いすを利用するが、乗り降り使用のお手伝いがなければならない人。力のない看護士には大変ですとの事。病院又はその他の施設、家庭でも車いすの使用は大きい。そこで人体を軽々とシートに乗せ移動できることが望ましい。
【課題を解決するための手段】
【０００５】  ベッド上部にシートを置き人体はシートの上に座り、コの字フレーム移動車リフトは、ベッド上部の座席シートに差し込み、人体をジャッキ式で上げベッドより引き出し移動する、座席シートはトイレ用又院内移動用と別々なものである。又、座席シートに人体が乗り移った時点で両脇の手摺りを付ける、リフト式両脇板が滑らぬよう引き出す為の手摺りである。
【作用】
【０００６】  シート移動車は、人体を乗せるため強度のある部材を必要とする。どんな重量のある人にも適用しスムーズに乗り降りの出来るよう看護士の負担を少なくするための目的の移動車である軽く安全第一と強度の部材であること。
【実施例】
【０００７】  以下添付図面に基づいて本発明の実施例を説明する。
図１〜図３、本発明に係わるシート移動車の一例を示すものである。図に示す様に移動車１６は、移動車本体である。上部本体は、１８のジャッキ式で上下する。１９は、ジャッキを回すクランク。１４は、手摺り人体がベッド上シート座席に座ってから取り付ける、ベッドより人体を引き抜きする時点で滑らぬためにもなる。【０００８】  シート１２の両脇に移動車の１７を差し込むため、シート１２の脇１３は、１７が通り抜けるように作る。又１３と１７に穴を明け手摺り１４を差し込む穴を明けておく、手摺りを取り付けるため又１７を引く抜く時点で滑らぬようにでもある。【０００９】  コの字型フレームはベッドに差し込むため、人体をベッドより引き抜くためのフレーム１７と２１の空間にベッドがある、ベッドの上部に置かれた座席シートに人体を乗せて、１８手回しジャッキで上下調節する。この時点で２４ブレーキをかける、安全のため。
【発明の効果】
【００１０】  力少ない看護士が重量のある人体を車いすに乗り降りさせる事は、重労働です。シート移動車は、ベッド上部にシートを置きその上に人体が乗り、それをリフト式で上げベッドより引き出し、力少ない看護士でも軽々人体をトイレ又院内を移動する事が出来る。
【図面の簡単な説明】
【図１】  本発明に係るシート移動車の一例を示す斜視図である。
【図２】  本発明に係るシート移動車の一例を示す横面図である。
【図３】  本発明に係るシート移動車の一例を示す後ろより見た図である。
【符号の説明】  １１．ベッド。
１２．シート。
１３．シート差し込み穴。
１４．手摺り。
１５．取手。
１６．本体フレーム。
１７．差し込み平板。
１８．ジャッキ。
１９．ジャッキクランク。
２０．上下パイプ。
２１．足掛け。
２２．太車輪。
２３．小車輪。
２４．ブレーキ。
２５．手摺り差し込み穴。
【図１】
2014230733.tif 000003
【図２】
2014230733.tif 000004
【図３】
2014230733.tif 000005
(57)【要約】【課題】  トイレットペーパーの引出しを容易にする。【解決手段】  トイレットペーパー１の横幅いっぱいに斜めに切込み２及びミシン目３と、真横に設けたミシン目４を交互に設けた該トイレットペーパー１を、ペーパーホルダー６に取り付け、トイレットペーパー１に斜めに設けた切込み２及びミシン目３がペーパーカットガイド７より、僅か外に引き出しペーパーカットガイド７を押さえ、切込み２側よりミシン目３に沿って切り離す事により、トイレットペーパー１を引き出すペーパーつまみ部５が垂れ下がる。【選択図】図２
2014230735.tif 000002
【特許請求の範囲】
【請求項１】
トイレットペーパーの横幅いっぱいに、斜めにミシン目を設け、カットのスタート位置に１０ｍｍ内外の切りこみ、或いはＶ字状のカット部を設けたことを特徴としたトイレットペーパー。
【請求項２】
前記トイレットペーパーの横幅いっぱいに斜めと真横に交互にミシン目を設けたことを特徴とした請求項１記載のトイレットペーパー。
【発明の詳細な説明】
【技術分野】
【０００１】本発明は、斜めミシン目入りトイレットペーパーに関するものである。
【背景技術】
【０００２】トイレットペーパーはミシン目の入ったものと、無いものとが現存し、どちらも使用時に必要な分だけを引き出しペーパーホルダーの先端部で押さえ、切り取って使用するのが一般的な方法である。
【発明の概要】
【発明が解決しようとする課題】
【０００３】トイレットペーパーはミシン目の入ったものと、無いものとが現存しているが、どちらの製品もホルダーから切り取った後の状態は、ペーパー切り口とペーパーホルダーの先端が重なり、次の使用時にはその都度ペーパーホルダーのペーパーカットガイドを持ち上げないとペーパーを引き出しにくい。
【課題を解決する手段】
【０００４】本発明は、前記した課題を解決する為、トイレットペーパーの横幅いっぱいに斜めにミシン目を設け、カットのスタート位置に１０ｍｍ内外の切りこみ、或いはＶ字状のカット部を設けることで、ペーパー使用時にペーパーホルダーで切り取る際、確実に斜めにカットされ、ペーパーの一部が前記ペーパーホルダーの先端部よりはみ出し垂れ下がるので、次の使用時にはみ出た部分をつまむ事で引き出すことが容易になる。
【発明の効果】
【０００５】ペーパーホルダーよりトイレットペーパーを容易に引き出せる。
【図面の簡単な説明】
【０００６】
【図１】本発明の斜めミシン目入りトイレットペーパーの全体を示す斜視図。
【図２】本発明の斜めミシン目入りトイレットペーパーの使用を示す斜視図。
【図３】本発明の斜めミシン目入りトイレットペーパーの使用後の状態を示す斜視図。
【発明を実施するための形態】
【０００７】本発明の斜めミシン目入りトイレットペーパーはペーパーホルダーより引き出し使用後、次に使用の際、該トイレットペーパーを容易につまみ引き出すため、斜めにカットする為の切込み及びミシン目を入れ、前記ペーパーホルダーの先端部よりはみ出し垂れ下がる状態を実現した。
【実施例】
【０００８】本発明の斜めミシン目入りトイレットペーパーの実施例を図１〜図３によって説明する。トイレットペーパー１の横幅いっぱいに斜めに切込み２及びミシン目３と、真横に設けたミシン目４を交互に設けた該トイレットペーパー１を、ペーパーホルダー６に取り付け、トイレットペーパー１に斜めに設けた切込み２及びミシン目３がペーパーカットガイド７より、僅か外に引き出しペーパーカット板を押さえ、切込み２側よりミシン目３に沿って切り離す事により、トイレットペーパー１を引き出すペーパーつまみ部５が垂れ下がり、次回の操作が容易になる。【０００９】又、真横のミシン目４のペーパーカットは従来通りの使用法で利用する。
【符号の説明】
【００１０】１：トイレットペーパー
２：切込み
３：ミシン目
４；真横に設けたミシン目
５：ペーパーつまみ部
６：ペーパーホルダー
７：ペーパーカットガイド
【図１】
2014230735.tif 000003
【図２】
2014230735.tif 000004
【図３】
2014230735.tif 000005
(57)【要約】      （修正有）【課題】ニットやストールを型崩れさせずに家庭用洗濯機で洗うための洗濯ネットを提供する。【解決手段】長方形のシート５の２辺の短辺のうち、１辺には袋１を、もう１辺には芯１０を設け、シート５と袋1の接続部４である短辺から長辺と平行にベルトを設けたことを特徴とするニット・ストール用洗濯ネット。【選択図】図２
2014230734.tif 000002
【特許請求の範囲】
【請求項１】
長方形のシートの２辺の短辺のうち、１辺には袋を、もう１辺には芯を設け、シートと袋の接続部である短辺から長辺と平行にベルトを設ける。
以上の構成よりなる洗濯ネット。
【発明の詳細な説明】
【技術分野】
【０００１】  本発明は、型崩れしやすい洗濯物を型崩れさせずに洗うための洗濯ネットに関するものである。
【背景技術】
【０００２】  従来、家庭でニットやストールを洗濯するには、洗濯ネットに入れて家庭用洗濯機で洗うか、もしくは手洗いの必要があった。
なお、洗濯ネットの形状を袖付き衣類と同じにすることで洗濯ネット内に収納された衣類が洗濯時にネット内で片寄ることを防ぐ袖付き衣類用洗濯ネットが知られている（特許文献１）。
また、押さえ材を設けることで洗濯ネット内に収納された着物や浴衣が洗濯時にネット内で片寄ることを防ぐ着物洗濯ネットが知られている（特許文献２）。
【先行技術文献】
【特許文献】
【０００３】
【特許文献１】特開平７−１２４３７７号
【特許文献２】特開２００７−２８２７３８号
【発明の概要】
【発明が解決しようとする課題】
【０００４】  洗濯ネット内で洗濯物が片寄ったり丸まったりするため、ニットやストールを型崩れさせずに家庭用洗濯機で洗濯することは困難であった。
本発明は以上の問題点を解決するためになされたものである。
【課題を解決するための手段】
【０００５】  長方形のシートの２辺の短辺のうち１辺には袋を、もう１辺には芯を設け、シートと袋の接続部である短辺から長辺と平行にベルトを設ける。
以上の構成よりなる洗濯ネット。
【発明の効果】
【０００６】  従来の洗濯ネットとは異なる、「芯に洗濯物を巻きつけ、ベルトで固定する」という立体的な構造により、洗濯物の型崩れを防止し、デリケートなニットやストールを型崩れさせずに家庭用洗濯機で洗濯することを可能とした。
【図面の簡単な説明】
【０００７】
【図１】本発明の斜視図
【図２】本発明の使用準備状態図１
【図３】本発明の使用準備状態図２
【図４】本発明の使用準備状態図３
【図５】本発明の使用準備状態図４
【図６】本発明の使用状態図
【発明を実施するための形態】
【０００８】  以下、本発明の実施の形態を説明する。
（イ）長方形のシート（５）の２辺の短辺のうち、１辺に袋（１）を設け、袋（１）には開閉部（２）を設け、開閉部（２）にはスライダー（３）を設ける。
（ロ）シート（５）のもう１辺の短辺は袋状に留め、その中に水を通す素材でできた芯（１０）を収める。
（ハ）シート（５）と袋（１）の接続部（４）である短辺の内側に短ベルト（６）を、外側に長ベルト（７）をいずれも長辺と平行に設ける。
（ニ）短ベルト（６）と長ベルト（７）は一対とし、シート（５）と袋（１）の接続部（４）の中心から均等に離れた左右に設ける。
（ホ）短ベルト（６）にはスナップ凹片部（８）を設け、長ベルト（７）には、スナップ凸片部（９）を複数設ける。
本発明は以上のような構造である。
本発明を使用するときは、袋（１）のスライダー（３）をスライドさせ開閉部（２）を開き、芯（１０）を取り出し、シート（５）を広げる。広げたシート（５）の上に洗濯物（１１）を乗せて形を整えた後、芯（１０）を中心としてシート（５）とともに洗濯物（１１）を巻き込んでいく。巻き終えたらスナップ凹片部（８）とスナップ凸片部（９）を合わせて留めて袋（１）に収め、スライダー（３）をスライドさせて開閉部（２）を閉じる。
洗濯物（１１）は芯（１０）に巻きつけられている為、袋（１）の中で片寄ったり丸まったりすることがない。また、洗濯物（１１）の厚さにより、巻いた状態が太くなってもスナップ凸片部（９）は複数あるため、留める位置の調整が可能である。
【符号の説明】
【０００９】  １袋、  ２開閉部、  ３スライダー、  ４接続部、  ５シート、
６短ベルト、  ７長ベルト、  ８スナップ凹片部、  ９スナップ凸片部、
１０芯、  １１洗濯物
【図１】
2014230734.tif 000003
【図２】
2014230734.tif 000004
【図３】
2014230734.tif 000005
【図４】
2014230734.tif 000006
【図５】
2014230734.tif 000007
【図６】
2014230734.tif 000008
(57)【要約】【課題】    誘導灯を使用しやすいように、ベルト通しに脱着ホルダーを設けた、誘導灯ワンタッチホルダーを提供する。【解決手段】    ベルト通し（１）の一端にホルダー（２）をカシメ（３）で取り付けた、脱着式ワンタッチホルダーを特徴とする。【選択図】図１
2014096341.tif 000002
【特許請求の範囲】
【請求項１】
ベルト通し（１）の一端に、ホルダー（２）をカシメ（３）で取り付けた、誘導灯ワンタッチホルダー。
【発明の詳細な説明】
【技術分野】
【０００１】  この発明は、簡単収納、さっと取り出せる誘導灯ワンタッチホルダーに関するものである。
【背景技術】
【０００２】  従来、上からの差し込み式になっており、収納しにくい、すぐ取出して使えない状態であった。
【先行技術文献】
【特許文献】
【０００３】
【特許文献１】
【発明の概要】
【発明が解決しようとする課題】
【０００４】  これは、次のような欠点があった。
従来の商品は、輪かに上から差し込んで使用する方式になっており、収納もしにくく、すぐに取出して使えない。防寒コート着用時はなおさら収納しにくい、取出しにくく、困ることが多かった。
本発明は、以上のような欠点をなくすためになされたものである。
【課題を解決するための手段】
【０００５】  ベルト通し（１）の一端にホルダー（２）をカシメ（３）で取り付ける。
本発明は、以上の構成によりなる誘導灯ワンタッチホルダーである。
【発明の効果】
【０００６】  ホルダーが差し込み式になっているので、必要になった時すぐに取出せ、簡単に収納出来る。又懐中電灯、楕円形の誘導等にもなんらさしつかえなく使用できる。
【図面の簡単な説明】
【０００７】
【図１】  本発明の斜視図である。
【図２】  本発明の正面図である。
【図３】  本発明の左側面図である。
【図４】  本発明の平面図である。
【発明を実施するための形態】
【０００８】  以下、本発明を実施するための形態について説明する。
ベルト通し（１）を設ける。
ホルダー（２）を設ける。
ベルト通し（１）にホルダー（２）をカシメ（３）で固定する。
本発明は以上のような構造である。
これを使用するときは、ベルトに取り付けホルダーの差し込み式のところから、抜き差しすればよい。
【符号の説明】
【０００９】  １    ベルト通し
２    ホルダー
３    カシメ
【図１】
2014096341.tif 000003
【図２】
2014096341.tif 000004
【図３】
2014096341.tif 000005
【図４】
2014096341.tif 000006